(57)【要約】【課題】フランジを筐体の側板の内側から取り付けることで取り付け後のデザインを損なうことがないとともに、持ち運び時に手が接触したとしても痛みを感じにくくする。【解決手段】筐体の側板に設けられた開口部に取付けられる取っ手部品であって、側板の内面における開口部の周縁部に当接可能なフランジ部と、このフランジ部の内側に手入れ空間部を形成するための外方に向けて凹面に形成された底壁部と、この底壁部の両側部間に架け渡されるように連結された棒状のハンドルと、このハンドルの長さ方向と直交する方向の両端に配置される底壁部の両端部のうちの少なくとも一方の端部に形成され、側板の開口部の端面を覆うことが可能な突出部とを備えており、この突出部の表面が底壁部の凹面に連続して外方に凸となる凸湾曲面に形成されている。【選択図】      図１
2018110170.tif 000002
【特許請求の範囲】
【請求項１】
筐体の側板に設けられた開口部に取付けられる取っ手部品であって、前記側板の内面における前記開口部の周縁部に当接可能なフランジ部と、このフランジ部の内側に手入れ空間部を形成するための外方に向けて凹面に形成された底壁部と、この底壁部の両側部間に架け渡されるように連結された棒状のハンドルと、このハンドルの長さ方向と直交する方向の両端に配置される前記底壁部の両端部のうちの少なくとも一方の端部に形成され、前記側板の開口部の端面を覆うことが可能な突出部とを備えており、この突出部の表面が前記底壁部の前記凹面に連続して外方に凸となる凸湾曲面に形成されていることを特徴とする取っ手部品。
【請求項２】
前記ハンドルから前記突出部までの距離は、前記ハンドルから前記突出部とは反対側の前記底壁部の端部までの距離よりも大きく形成されていることを特徴とする請求項１記載の取っ手部品。
【請求項３】
前記フランジ部の表面から前記ハンドルの表面までの高さは、前記フランジ部の表面から前記突出部の最頂部表面までの高さと同じかそれより小さく形成されていることを特徴とする請求項１又は２記載の取っ手部品。
【請求項４】
請求項１から３のいずれか一項記載の取っ手部が、前記筐体の側板の開口部内に取り付けられていることを特徴とする可搬型電子機器。
【請求項５】
前記フランジ部の表面から前記ハンドルの表面までの高さは、前記側板の厚さと同じかそれより小さく形成されていることを特徴とする請求項４記載の可搬型電子機器。
【発明の詳細な説明】
【技術分野】
【０００１】
本発明は、各種機器の持ち運びのために機器に取り付け可能な取っ手部品及びこの取っ手部品が設けられた可搬型電子機器に関する。
【背景技術】
【０００２】
従来、例えば、スピーカ装置のような可搬型電子機器において、持ち運びの便宜のため取っ手が設けられる場合がある。
例えば、非特許文献１のスピーカキャビネットでは、その両側に取っ手が設けられている。また、この種のスピーカキャビネットに取り付け可能な取っ手部品として、非特許文献２に示したものもある。これら取っ手部品は、一般に金属により形成され、スピーカキャビネットに取り付けるためのフランジの内側に手が差し込まれる空間が形成され、その空間に、手で握るための棒状のハンドルが設けられている。
【０００３】
この取っ手部品は、フランジがスピーカキャビネットの側部に形成した開口部の周縁部に外側から接触され、側板にネジ止めされることにより、スピーカキャビネットに固定される。そして、スピーカ装置の持ち運びは、比較的軽量の場合は一人で行われるが、重量が大きくなると、二人が両側からそれぞれ取っ手部品の空間内に手を差し込み、ハンドルを握って持ち上げるようにしている。
【先行技術文献】
【非特許文献】
【０００４】
【非特許文献１】ヤマハ  スピーカ  ＣｌｕｂＶシリーズ，インターネットＵＲＬ：http://www.yamahaproaudio.com/global/en/products/speakers/clubv_series/features.jsp
【非特許文献２】Ｓｃｕｍｂａｃｋ  ハンドル，インターネットＵＲＬ：http://www.scumbackspeakers.com/handles.html
【発明の概要】
【発明が解決しようとする課題】
【０００５】
しかしながら、いずれの取っ手部品においても、フランジがスピーカキャビネットの外側から被せられた状態で取り付けられるため、フランジが外部から見えてスピーカキャビネットの表側に出る部分が大きくなる。このため、スピーカキャビネットの側面で取っ手部品が目立ってしまい、木製のスピーカキャビネットに適用すると木質を活かしたデザインが損なわれ、高級感が失われる。
これに対して、フランジを側板の内側（ボックス体の内側）から取り付けることが考えられるが、その場合、スピーカキャビネットの開口部内に側板の端面（切り口）が露出することになる。そのため、スピーカ装置を持ち運ぶ際に、手の甲あるいは手首が開口部の上端側の角部に接触し、スピーカ装置が重くなると、角部に手の甲が押圧されて痛みを感じる。
【０００６】
本発明は、このような事情に鑑みてなされたもので、フランジ部を筐体の側板の内側から取り付けることで取り付け後のデザインを損なうことがないとともに、持ち運び時に手が接触したとしても痛みを感じにくくすることを目的とする。
【課題を解決するための手段】
【０００７】
本発明の取っ手部品は、筐体の側板に設けられた開口部に取付けられる取っ手部品であって、前記側板の内面における前記開口部の周縁部に当接可能なフランジ部と、このフランジ部の内側に手入れ空間部を形成するための外方に向けて凹面に形成された底壁部と、この底壁部の両側部間に架け渡されるように連結された棒状のハンドルと、このハンドルの長さ方向と直交する方向の両端に配置される前記底壁部の両端部のうちの少なくとも一方の端部に形成され、前記側板の開口部の端面を覆うことが可能な突出部とを備えており、この突出部の表面が前記底壁部の前記凹面に連続して外方に凸となる凸湾曲面に形成されている。
【０００８】
この取っ手部品は筐体の内面にフランジ部を取り付ける構成であるから、フランジ部を外部に露出させることなく、目立たない状態で使用できる。そして、この取っ手部品が取り付けられた機器を持ち運ぶ際には、手を上方から手入れ空間部に差し込んでハンドルを持つときに、手の甲あるいは手首が配置される側の筐体の開口部を突出部で覆われた状態とすることで手の甲あるいは手首が開口部の端面の角部に直接接触することがない。この開口部の端面を覆っている突出部は凸湾曲面に形成されているので、手の甲や手首が突出部に当たっても、痛みを感じたり、怪我をすることが防止される。
【０００９】
本発明の取っ手部品において、前記ハンドルから前記突出部までの距離は、前記ハンドルから前記突出部とは反対側の前記底壁部の端部までの距離よりも大きく形成されているとよい。
【００１０】
ハンドルから突出部までの空間が、反対側の空間よりも大きくなることで、手の甲や手首が突出部に当たりにくい状態でハンドルをつかんで機器を運ぶことが可能になる。
また、このように手入れ空間部におけるハンドルからの距離が異なることで、筐体への取り付け時にハンドルの位置を確認しながら突出部を適切な姿勢で取り付けることができる。
【００１１】
本発明の取っ手部品において、前記フランジ部の表面から前記ハンドルの表面までの高さは、前記フランジ部の表面から前記突出部の最頂部表面までの高さと同じかそれより小さく形成されていることが望ましい。
【００１２】
突出部の最頂部表面までの高さを筐体の側板の厚さと同じかそれより小さく形成しておけば、その突出部の最頂部表面及びハンドル表面が筐体の側板の表面から外方に飛び出すことが無いため、機器に取り付けた状態でその取り付け面を接地面としたときに、突出部やハンドルの接地面への接触を防ぎ、接地時の姿勢が安定する。
【００１３】
本発明の可搬型電子機器は、前記取っ手部品が、前記筐体の側板の開口部内に取り付けられている。
この場合、前記フランジ部の表面から前記ハンドルの表面までの高さは、前記側板の厚さと同じかそれより小さく形成されているとよい。
【発明の効果】
【００１４】
本発明によれば、フランジ部を筐体の内面に取り付けることができるため、筐体の外観デザインを損なうことがなく、また、筐体の開口部の端面を突出部により覆って持ち運び時に手の甲や手首が開口部の端面に直接接触することを防ぐことができる。
【図面の簡単な説明】
【００１５】
【図１】本発明の実施形態の取っ手部品を取り付けてなるスピーカ装置の斜視図である。
【図２】図１のスピーカ装置の正面図である。
【図３】図２のＡ−Ａ線に沿う縦断面図である。
【図４】図３とは異なる位置での縦断面図であり、図３のＢ−Ｂ線に沿う断面に相当する。
【図５】取っ手部品の斜視図である。
【図６】図５の取っ手部品の正面図である。
【図７】図６のＣ−Ｃ線に沿う縦断面図であり、ハンドルをフランジ部の凹部から外した状態を示している。
【図８】図６のＤ−Ｄ線に沿う横断面図であり、フランジ部に取り付ける前のハンドルを二点鎖線で示している。
【発明を実施するための形態】
【００１６】
以下、本発明の取っ手部品及び可搬型電子機器の実施形態を説明する。
この実施形態の取っ手部品１が設けられる可搬型電子機器１００は、スピーカ装置であり、そのスピーカキャビネット１０の側面に取っ手部品１が取り付けられている。以下の説明では、図１においてスピーカ装置１００を正面から視た方向で、前後方向をＸ方向、左右方向をＹ方向、上下方向をＺ方向とし、それぞれ矢印の向きを＋側、その反対向きを−側とする。
【００１７】
＜スピーカ装置の全体構成＞
このスピーカ装置１００の全体構成について予め説明しておくと、このスピーカ装置１００は、スピーカキャビネット１０と、その内部に取り付けられたスピーカユニット２０とを有している。
スピーカキャビネット１０は、矩形の天板１１及び底板１２、正面のバッフル板１３、バッフル板１３の両側に配置される一対の側板１５、これら側板１５の背部間でバッフル板１３と平行に配置された背面板１６とにより囲まれたほぼ直方体状のボックス体１７を備えている。
スピーカユニット２０は、図３に示す例ではコーン形（円錐形）の振動板２０ａを有するスピーカであり、バッフル板１３に形成した開口１３ａの周縁部に固定されることで振動板２０ａを前方（−Ｘ側）に向けた状態でスピーカキャビネット１０に取り付けられる。
【００１８】
このスピーカユニット２０とスピーカキャビネット１０の底板１２との間には、背面板１６との間に間隔をおいて仕切り板３０が底板１２と平行状態に（前後方向に沿って）設けられており、図３に示すように、スピーカユニット２０の後方（＋Ｘ側）の空間が底板１２と仕切り板３０との対向間に連通状態となっていることから、これら底板１２と仕切り板３０との対向間がバスレフポート３１を形成している。
【００１９】
一方、スピーカユニット２０及びバッフル板１３の前方（−Ｘ側）には、正面視で長方形状のグリル板４０が取り付けられている。このグリル板４０は、例えばスチール等の金属板の表面に布を貼り付けた構成であり、図２に示すように、振動板２０ａから放射される音を通過可能な複数の孔４２が面方向に点在して設けられている。
【００２０】
ボックス体１７の外板を構成している天板１１、底板１２、バッフル板１３、側板１５、背面板１６、及びバスレフポート３１を形成している仕切り板３０は、それぞれ木材によって形成されており、合板、パーティクルボード、ＭＤＦ（Ｍｅｄｉｕｍ  Ｄｅｎｓｉｔｙ  Ｆｉｂｅｒｂｏａｒｄ）等により適宜の厚さに形成される。
【００２１】
＜取っ手部品の構成＞
そして、ボックス体１７の両側板１５に正面視で矩形状の開口部１５ａが形成され、その開口部１５ａに取っ手部品１が取り付けられている。
この取っ手部品１は、図５から図８に示すように、側板１５への取り付けのためのフランジ部２、底壁部３、側壁部４、ハンドル５を備えている。この取っ手部品１については、図５の斜視図において、取っ手部品１のハンドル５の長さ方向がＸ方向、ハンドル５に直交する取っ手部品１の厚さ（高さ）方向がＹ方向、取っ手部品１の上下方向がＺ方向となる。
フランジ部２は、側板１５の内面における開口部１５ａの周縁部に接触可能なように矩形の枠状に形成されており、その四隅が側板１５にねじ止め等によって固定される。
【００２２】
このフランジ部２に囲まれた内側には、その両側部を形成するように側壁部４がフランジ部２の長辺に連続して形成され、これら側壁部４の間でフランジ部２の短辺間を連結するように上下方向（Ｚ方向）に延びる底壁部３が形成されている。この底壁部３はフランジ部２の短辺間を外方（−Ｙ側）に向けた凹面３ａで連結するように湾曲形成されている。これらフランジ部２、底壁部３、側壁部４により構成される部位は、ステンレス鋼などの金属材料により一体に形成される。
【００２３】
フランジ部２の長辺を形成している両側部の間には、図７に示すように、樹脂材料により断面ほぼ楕円形状に形成された棒状のハンドル５が底壁部３の上方（−Ｙ側）に掛け渡されるように連結されている。このハンドル５は、その両端部５ａがネジ止めによりフランジ部２に固定されるが、図８に示すように、その両端部５ａの上面がハンドル５の中間部分よりも低く形成されるとともに、フランジ部２には凹部２ａが形成され、その凹部２ａ内にハンドル５の両端部が固定されることにより、ハンドル５の両端部５ａの上面はフランジ部２の表面と同一面に形成される。
【００２４】
そして、このハンドル５の下方（＋Ｙ側）で、底壁部３、両側壁部４に囲まれた空間が持ち運び時に手を入れるための手入れ空間部１ａとされている。このため、その手入れ空間部１ａの底面を形成する底壁部３の凹面３ａは、手を差し込みやすいなだらかな曲面であることが望ましい。
【００２５】
この場合、図７に示すように、底壁部３においてハンドル５の長さ方向と直交する方向（Ｚ方向）の両端に配置される両端部のうちの一方（−Ｚ側）の端部は、フランジ部２の内周縁から凹状となるように連続して設けられているが、他方（＋Ｚ側）の端部には、フランジ部２の表面よりも突出する突出部６が形成されている。本実施形態では、図１等に示すように、取っ手部品１は、ボックス体１７の側板１５の上下方向（Ｚ方向）の中間位置よりも若干上寄り（＋Ｚ側）に設けられており、突出部６は、取っ手部品１の上端部に配置されている。この突出部６は、底壁部３の凹面３ａになだらかに連続する凸湾曲面６ａと、突出部６の最頂部６ｂからフランジ部２に直角に連結される垂直面６ｃとが最頂部６ｂの円弧面により滑らかに連続した形状に形成されている。
【００２６】
この突出部６は、側板１５の開口部１５ａの端面を覆うことができるように、フランジ部２の表面から最頂部６ｂまでの高さｈ１が側板１５の厚さｔと同じかそれより大きい高さに形成されている。これにより、取っ手部品１を開口部１５ａに取り付けたときに、突出部６より開口部１５ａの端面を覆うことが可能になる。
また、ハンドル５から突出部６（の最頂部６ｂ）までの距離Ｌ１は、ハンドル５から突出部６とは反対側の底壁部３の端部までの距離Ｌ２よりも大きく形成されている。
また、フランジ部２の表面からハンドル５の表面までの高さｈ２（図８参照）は、フランジ部２の表面から突出部６の最頂部６ｂ表面までの高さｈ１と同じかそれより小さく形成される。この場合、フランジ部２の表面からハンドル５の表面までの高さｈ２は、ハンドル５の両端部５ａの表面からハンドル５の表面までの高さｈ３（図８の二点鎖線部分参照）と同じである。
なお、スピーカキャビネット１０において、符号３２は、仕切り板３０と底板１２とを連結状態とする支持板であり、図３及び図４において符号４５は、両側板１５間を内部で連結状態とするように取っ手部品１の上方及び下方に配置される補強板である。
【００２７】
以上のように構成した取っ手部品１を有するスピーカ装置１００において、このスピーカ装置１００を搬送時などに二人で持ち上げる際には、両側板１５に設けた取っ手部品１に対して、手の甲を底壁部３の凹面３ａに向けながら片手を手入れ空間部１ａに差し込み、ハンドル５を握って持ち上げる。このとき、ハンドル５よりも上方（＋Ｚ側）に配置される側板１５の開口部１５ａの端面が突出部６で覆われているため、手の甲あるいは手首が開口部１５ａの端面に接触することがない。
【００２８】
しかも、ハンドル５から突出部６までの距離Ｌ１が反対側の距離Ｌ２より大きく形成されていることで、ハンドル５より上方（＋Ｚ側）の空間が反対側の空間よりも大きくなり、手入れ空間部１ａにハンドル５の上方から手を差し込みやすく、また、突出部６にも手の甲や手首が当たりにくくなっている。
また、突出部６には、底壁部３の凹面３ａに連続する凸湾曲面６ａを有しており、凸湾曲面６ａから凹面３ａによりガイドされるように手を入れてハンドル５を握ることができ、また、運搬中等に凸湾曲面６ａに手が接触したとしても、側板１５の開口部１５ａ周縁のような角張った部分ではないため、痛み等を感じることが少なくなる。
したがって、この取っ手部品１は、ハンドル５を握りやすく、かつ楽に運搬することができる。
【００２９】
また、取っ手部品１のフランジ部２を側板１５の内面に取り付けていることで、この側板１５の外側に露出する部分が少なくなり、スピーカキャビネット１０として、取っ手部品１が目立たなくなる。このため、スピーカ装置１００全体のデザイン性が向上し、木質を生かしたスピーカキャビネット１０の高級感を損なうことがない。
【００３０】
なお、本発明は、上記実施形態に限定されるものではなく、本発明の趣旨を逸脱しない範囲において種々の変更を加えることが可能である。
実施形態のスピーカ装置１００では、矩形状の開口部１５ａの一辺の端面を覆うように突出部６を形成したが、矩形状の開口部１５ａであれば、四辺とも覆うようにフランジ部２の内側の全周にわたって突出部を形成してもよいし、ハンドル５の下方（−Ｚ側）の端部を除く三辺に突出部を形成してもよい。その開口部も正面視矩形状のもの以外にも、円形状、多角形状とすることも可能であり、その場合も、手入れ空間部に手を差し入れたときに手の甲または手首が配置される側の端部に突出部を形成すればよい。
また、実施形態ではスピーカ装置１００のスピーカキャビネット１０に取っ手部品１が取り付けられた例として説明したが、この取っ手部品１は、スピーカキャビネット１０以外にも、各種電子機器の側板に開口部を形成して、その開口部の内側から取り付けることが可能である。
【符号の説明】
【００３１】
１…取っ手部品、１ａ…手入れ空間部、２…フランジ部、２ａ…凹部、３…底壁部、３ａ…凹面、４…側壁部、５…ハンドル、５ａ…端部、６…突出部、６ａ…凸湾曲面、６ｂ…最頂部、６ｃ…垂直面、１０…スピーカキャビネット、１１…天板、１２…底板、１３…バッフル板、１３ａ…開口、１５…側板、１５ａ…開口部、１６…背面板、１７…ボックス体、２０…スピーカユニット、２０ａ…振動板、３０…仕切り板、３１…バスレフポート、３２…支持板、４０…グリル板、４２…孔、４５…補強板、１００…スピーカ装置（可搬型電子機器）。
【図１】
2018110170.tif 000003
【図２】
2018110170.tif 000004
【図３】
2018110170.tif 000005
【図４】
2018110170.tif 000006
【図５】
2018110170.tif 000007
【図６】
2018110170.tif 000008
【図７】
2018110170.tif 000009
【図８】
2018110170.tif 000010